(57)【要約】送信のためにアグリゲートされる複数のコンポーネント・キャリア（ＣＣ）を処理するための方法が本発明で提供され、この方法は、複数のＣＣのそれぞれの時間領域信号を取得するステップと、各ＣＣの複数の位相回転させたものを得るように、１組の位相回転で複数の位相回転値を利用することによって、取得された時間領域信号に複数の固定された位相回転をそれぞれ適用するステップと、各ＣＣの複数の位相回転させたもののうちの１つをランダムに選択して複数の候補送信グループをそれぞれ構成し、この複数の候補送信グループのそれぞれの位相回転させたものの振幅合計を取得するステップと、最小の振幅合計を有する候補送信グループを決定するステップと、この最小の振幅合計を有する決定された候補送信グループの複数の位相回転させたものを送信するステップとを含む。本発明は、実質的に、ＵＬおよびＤＬのアグリゲートされるＣＣのＣＭ／ＰＡＰＲを最小にすることが可能な一般的な解決策を提供する。
2012531127.tif 000002
【特許請求の範囲】
【請求項１】
送信のためにアグリゲートされる複数のコンポーネント・キャリア（ＣＣ）を処理するための方法であって、
前記複数のＣＣのそれぞれの時間領域信号を取得するステップと、
各ＣＣの複数の位相回転させたものを得るように、１組の位相回転で複数の位相回転値を利用することによって、取得された前記時間領域信号に複数の固定された位相回転をそれぞれ適用するステップと、
各ＣＣの前記複数の位相回転させたもののうちの１つをランダムに選択して複数の候補送信グループをそれぞれ構成し、前記複数の候補送信グループのそれぞれの前記位相回転させたものの振幅合計を取得するステップと、
最小の振幅合計を有する候補送信グループを決定するステップと、
前記最小の振幅合計を有する決定された前記候補送信グループの複数の位相回転させたものを送信するステップとを含む方法。
【請求項２】
前記複数のＣＣのそれぞれの時間領域信号を取得する前記ステップが、前記複数のＣＣのそれぞれに対して逆高速フーリエ変換を実施するステップを含むことを特徴とする、請求項１に記載の方法。
【請求項３】
Ｌｏｎｇ  Ｔｅｒｍ  Ｅｖｏｌｕｔｉｏｎ−Ａｄｖａｎｃｅｄ（ＬＴＥ−Ａ）システムに適用されることを特徴とする、請求項１に記載の方法。
【請求項４】
前記ＬＴＥ−Ａシステムの送信端に適用されることを特徴とする、請求項３に記載の方法。
【請求項５】
送信されるべき複数のコンポーネント・キャリア（ＣＣ）を処理するための装置であって、
前記複数のＣＣのそれぞれの時間領域信号を取得するための取得ユニットと、
各ＣＣの複数の位相回転させたものを得るように、１組の位相回転で複数の位相回転値を利用することによって、取得された前記時間領域信号に複数の固定された位相回転をそれぞれ適用するための位相回転ユニットと、
各ＣＣの前記複数の位相回転させたもののうちの１つをランダムに選択して複数の候補送信グループをそれぞれ構成し、前記複数の候補送信グループのそれぞれの前記位相回転させたものの振幅合計を取得するための合計ユニットと、
最小の振幅合計を有する候補送信グループを決定するための決定ユニットと、
前記最小の振幅合計を有する決定された前記候補送信グループの複数の位相回転させたものを送信するための送信ユニットとを備える装置。
【請求項６】
前記取得ユニットが、前記複数のＣＣのそれぞれに対して逆高速フーリエ変換を実施するための逆高速フーリエ変換ユニットをさらに備えることを特徴とする、請求項５に記載の装置。
【請求項７】
Ｌｏｎｇ  Ｔｅｒｍ  Ｅｖｏｌｕｔｉｏｎ−Ａｄｖａｎｃｅｄ（ＬＴＥ−Ａ）システムに適用されることを特徴とする、請求項５に記載の装置。
【請求項８】
前記ＬＴＥ−Ａシステムの送信端に適用されることを特徴とする、請求項７に記載の装置。
【発明の詳細な説明】
【技術分野】
【０００１】
本発明は、通信分野に関し、より詳細には、アップリンクおよびダウンリンクのアグリゲートされたコンポーネント・キャリア（ｃｏｍｐｏｎｅｎｔ  ｃａｒｒｉｅｒ）のＣＭ／ＰＡＰＲを減少させる目的でＬＴＥ−Ａシステムでの送信のためにアグリゲートされるコンポーネント・キャリアを処理するための方法および装置に関する。
【背景技術】
【０００２】
３Ｇ産業は世界中で次第に頂点に達しつつあり、３Ｇから４Ｇへの発展という使命を負ったＬｏｎｇ  Ｔｅｒｍ  Ｅｖｏｌｕｔｉｏｎ（ＬＴＥ）が業界の注目を集めている。Ｌｏｎｇ  Ｔｅｒｍ  Ｅｖｏｌｕｔｉｏｎ−Ａｄｖａｎｃｅｄ（ＬＴＥ−Ａ）は、ＬＴＥを発展させたものとして、低コストの設備および端末の提供、電力効率の増加、中継伝送コストの削減、および端末の複雑さの減少を実現するその利点によって、ますます多くの注目を集めている。
【０００３】
ＬＴＥ−Ａシステムでは、コンポーネント・キャリア（ＣＣ）アグリゲーションに関連するＣｕｂｉｃ  Ｍｅｔｒｉｃ（ＣＭ）の増加は、主に、ＣＣにまたがる繰り返しダウンリンク（ＤＬ）参照信号（ＲＳ）パターンおよびアグリゲートされるＣＣの数という２つの要因によって引き起こされる。
【０００４】
ＤＬでは、繰り返しＲＳパターンによって引き起こされるＣＭの増加は、ＲＳの周期性を崩すことによって解消することができる。しかし、アップリンク（ＵＬ）送信のＣＭ／ＰＡＰＲ（ピーク対平均電力比）特性に対する感受性はＤＬより高い。ＵＬでは、アグリゲートされるＣＣの数の増加によって引き起こされる高いＣＭ／ＰＡＰＲによって、ＵＬ送信のパフォーマンスが著しく低下することがある。一般的に言えば、ＣＭ／ＰＡＰＲ値が低いほど、電力増幅器（ＰＡ）の効率が高く、カバレッジ（ｃｏｖｅｒａｇｅ）も広い。したがって、ユーザ機器（ＵＥ）の電力のバックオフを制限するために、ＣＭ／ＰＡＰＲ値は最小にしなければならない。
【０００５】
現在、ＲＳシーケンスの周期性を崩すためにＤＬに関していくつかの提案（たとえばＲ１−０８４１９５、Ｒ１−０８３７０６、Ｒ１−０９００９６、およびＲ１−０８４１９６）がなされており、これらの提案の進歩性のあるアイデアは極めて単純である。ＲＳの周期性を崩すために、異なる物理的セルＩＤを使用するかまたは各ＣＣに定期（ｆｉｘｅｄ  ｔｉｍｅ）／周期（ｃｙｃｌｉｃ  ｔｉｍｅ）／位相オフセットを適用することがそれぞれ提案されている。しかし、これらの提案は、非対称のＣＣアグリゲーションの設計を必要としたり、下位互換性の問題を引き起こしたりすることがあるが、アグリゲートされるＣＣによって引き起こされるＣＭ／ＰＡＰＲ増加を解決することはできない。
【先行技術文献】
【非特許文献】
【０００６】
【非特許文献１】Ｒ１−０８４１９５、「Ｉｓｓｕｅｓ  ｏｎ  ｔｈｅ  ｐｈｙｓｉｃａｌ  ｃｅｌｌ  ＩＤ  ａｌｌｏｃａｔｉｏｎ  ｔｏ  ｔｈｅ  ａｇｇｒｅｇａｔｅｄ  ｃｏｍｐｏｎｅｎｔ  ｃａｒｒｉｅｒｓ」、ＬＧ  Ｅｌｅｃｔｒｏｎｉｃｓ、２００８年１１月１０〜１４日、ｗｗｗ．３ｇｐｐ．ｏｒｇ。
【非特許文献２】Ｒ１−０８３７０６、「ＤＬ／ＵＬ  Ａｓｙｍｍｅｔｒｉｃ  Ｃａｒｒｉｅｒ  ａｇｇｒｅｇａｔｉｏｎ」、Ｈｕａｗｅｉ、２００８年９月２９日〜１０月３日、ｗｗｗ．３ｇｐｐ．ｏｒｇ。
【非特許文献３】Ｒ１−０９００９６、「ＤＬ  ＲＳ  ｆｏｒ  ｃａｒｒｉｅｒ  ａｇｇｒｅｇａｔｉｏｎ  ｗｉｔｈ  ｒｅｄｕｃｅｄ  ＰＡＰＲ」、Ｓａｍｓｕｎｇ、２００９年１月１２〜１６日、ｗｗｗ．３ｇｐｐ．ｏｒｇ。
【非特許文献４】Ｒ１−０８４１９６、「Ｉｎｉｔｉａｌ  Ａｃｃｅｓｓ  Ｐｒｏｃｅｄｕｒｅ  ｉｎ  ＬＴＥ−Ａｄｖａｎｃｅｄ」、ＬＧ  Ｅｌｅｃｔｒｏｎｉｃｓ、２００８年１１月１０〜１４日、ｗｗｗ．３ｇｐｐ．ｏｒｇ。
【発明の概要】
【発明が解決しようとする課題】
【０００７】
要するに、現在の技術的解決策では、繰り返しＲＳとアグリゲートされるＣＣの両方によって引き起こされるＣＭ／ＰＡＰＲの増加の問題を解決することはできない。
【課題を解決するための手段】
【０００８】
上記の問題を鑑みて、本発明を提案する。
【０００９】
本発明の一態様によれば、送信のためにアグリゲートされる複数のＣＣを処理するための方法が提供され、この方法は、複数のＣＣのそれぞれの時間領域信号（ｔｉｍｅ  ｄｏｍａｉｎ  ｓｉｇｎａｌ）を取得するステップと、各ＣＣの複数の位相回転させたもの（ｐｈａｓｅ  ｒｏｔａｔｉｏｎ  ｖｅｒｓｉｏｎ）を得るように、１組の位相回転で複数の位相回転値を利用することによって、取得された時間領域信号に複数の固定された位相回転をそれぞれ適用するステップと、各ＣＣの複数の位相回転させたもののうちの１つをランダムに選択して複数の候補送信グループをそれぞれ構成し、この複数の候補送信グループのそれぞれの位相回転させたものの振幅合計を取得するステップと、最小の振幅合計を有する候補送信グループを決定するステップと、この最小の振幅合計を有する決定された候補送信グループの複数の位相回転させたものを送信するステップとを含む。
【００１０】
好ましくは、複数のＣＣのそれぞれの時間領域信号を取得するステップは、複数のＣＣのそれぞれに対して逆高速フーリエ変換を実施するステップを含む。
【００１１】
好ましくは、この方法は、ＬＴＥ−Ａシステムに適用される。
【００１２】
好ましくは、この方法は、ＬＴＥ−Ａシステムの送信端に適用される。
【００１３】
本発明の別の態様によれば、送信のためにアグリゲートされる複数のＣＣを処理するための装置が提供され、この装置は、複数のＣＣのそれぞれの時間領域信号を取得するための取得ユニットと、各ＣＣの複数の位相回転させたものを得るように、１組の位相回転で複数の位相回転値を利用することによって、取得された時間領域信号に複数の固定された位相回転をそれぞれ適用するための位相回転ユニットと、各ＣＣの複数の位相回転させたもののうちの１つをランダムに選択して複数の候補送信グループをそれぞれ構成し、この複数の候補送信グループのそれぞれの位相回転させたものの振幅合計を取得するための合計ユニットと、最小の振幅合計を有する候補送信グループを決定するための決定ユニットと、この最小の振幅合計を有する決定された候補送信グループの複数の位相回転させたものを送信するための送信ユニットとを備える。
【００１４】
好ましくは、取得ユニットは、複数のＣＣのそれぞれに対して逆高速フーリエ変換を実施するための逆高速フーリエ変換ユニットをさらに備える。
【００１５】
好ましくは、この装置は、ＬＴＥ−Ａシステムに適用される。
【００１６】
好ましくは、この装置は、ＬＴＥ−Ａシステムの送信端に適用される。
【００１７】
結論として、本発明は、ＵＬおよびＤＬのアグリゲートされるＣＣのＣＭ／ＰＡＰＲを最小にすることが可能な一般的な解決策を提供する。本発明を利用することによって、上記のように、ＤＬのＣＭを軽減するために異なる物理セルＩＤをブロードキャストしたりＤＬ  ＲＳの周期性を崩したりすることを回避することが可能であり、一方で、ＣＭ／ＰＡＰＲ増加の２つの要因、すなわち前述のＣＣにまたがる繰り返しＤＬ  ＲＳパターンおよびアグリゲートされるＣＣの数を効果的に解消することが可能である。
【００１８】
本発明の上記その他の目的、特徴、および利点は、添付の図面と共に本発明の非限定的な実施形態の以下の詳細な説明を参照することにより、さらに明らかになるであろう。
【図面の簡単な説明】
【００１９】
【図１】本発明の実施形態による、送信のためにアグリゲートされる複数のＣＣを処理するための方法の流れ図である。
【図２】本発明の実施形態による、送信のためにアグリゲートされる複数のＣＣを処理するための装置のブロック図である。
【図３】本発明の実施形態による、送信のためにアグリゲートされる複数のＣＣを処理するための方法の詳細な概略図である。
【図４】ＤＬにおける４つのアグリゲートされるＣＣおよび５つのアグリゲートされるＣＣのＰＡＰＲに関して本発明と従来技術を比較したシミュレーション・グラフである。
【図５】ＵＬにおける２〜５のアグリゲートされるＣＣのＰＡＰＲに関して本発明と従来技術を比較したシミュレーション・グラフである。
【発明を実施するための形態】
【００２０】
次に、添付の図面を参照して本発明の実施形態を詳細に説明する。以下の説明では、いくつかの特定の実施形態は説明の目的で使用されているに過ぎず、本発明に関する限定として解釈されるべきではない。これらの実施形態は本発明の例に過ぎない。
【００２１】
最初に図１を参照すると、図１は、本発明の実施形態による、送信のためにアグリゲートされる複数のＣＣを処理するための方法の流れ図を示す。図１に示すように、この方法はステップＳ１０１で始まる。ステップＳ１０２では、複数のＣＣのそれぞれの時間領域信号を取得する。ステップＳ１０３では、各ＣＣの複数の位相回転させたものを得るように、１組の位相回転で複数の位相回転値を利用することによって、取得された時間領域信号に複数の固定された位相回転をそれぞれ適用する。次に、方法はステップＳ１０４に進み、各ＣＣの複数の位相回転させたもののうちの１つをランダムに選択して複数の候補送信グループをそれぞれ構成し、複数の候補送信グループのそれぞれに対して、位相回転させたものの振幅合計を取得する。次いで、ステップＳ１０５では、最小の振幅合計を有する候補送信グループを決定し、ステップＳ１０６で、決定された最小の振幅合計を有する候補送信グループの複数の位相回転させたものを送信する。最後に、方法はステップＳ１０７で終了する。
【００２２】
図２は、本発明の実施形態による、送信のためにアグリゲートされる複数のＣＣを処理するための装置２０の概略ブロック図である。
【００２３】
図２に示すように、装置２０は、複数のＣＣのそれぞれの時間領域信号を取得するための取得ユニット２０１と、各ＣＣの複数の位相回転させたものを得るように、１組の位相回転で複数の位相回転値を利用することによって、取得された時間領域信号に複数の固定された位相回転をそれぞれ適用するための位相回転ユニット２０２と、各ＣＣの複数の位相回転させたもののうちの１つをランダムに選択して複数の候補送信グループをそれぞれ構成し、複数の候補送信グループのそれぞれに対して、位相回転させたものの振幅合計を取得するための合計ユニット２０３と、最小の振幅合計を有する候補送信グループを決定するための決定ユニット２０４と、決定された最小の振幅合計を有する候補送信グループの複数の位相回転させたものを送信するための送信ユニット２０５とを備える。取得ユニット２０１は、複数のＣＣのそれぞれに対して逆高速フーリエ変換を実施するための逆高速フーリエ変換ユニット（図示せず）をさらに含むことができる。
【００２４】
以下では、図３を参照して本発明による方法をより詳細に説明する。図３は、本発明の実施形態による、送信されるべき複数のＣＣを処理するための方法を示す詳細な概略図であり、ＵＬの方法およびＤＬの方法をそれぞれ示す。
【００２５】
ＤＬの場合、最初に、Ｍ  ＣＣのそれぞれに対して逆高速フーリエ変換を実施し、Ｍ  ＣＣの時間領域信号｛Ｓ（ｍ）｝を得る。式中、ｍは１からＭまでの整数である。次に、時間領域信号｛Ｓ（ｍ）｝に位相回転ａ｛ｍ｝をそれぞれ適用し、｛Ｓ（ｍ）．ａ｛ｍ｝｝を得る。式中、ａ｛ｍ｝∈｛Ａ（０），Ａ（１），…，Ａ（Ｐ−１）｝であり、Ｐは各ＣＣに適用される位相回転の数である。ここで、｛Ａ（０），Ａ（１），…，Ａ（Ｐ−１）｝の位相回転値はランダムに選択してよい。次に、次の公式を使用して｛Ｓ（ｍ）．ａ｛ｍ｝｝を合計する。
【数１】
2012531127.tif 000003
式中、Ｋ＝０，１，…，Ｎ−１であり、Ｎはサブキャリアの数である。次いで、最小の振幅合計を有する対応する組の｛Ｓ（ｍ）．ａ｛ｍ｝｝を選択し、各ＣＣに適用された位相回転は、各ａ｛ｍ｝からのＰ値によって構成されるＰＭ個の組み合わせのうちの１つの組み合わせ｛ａ｛０｝，ａ｛１｝，…，ａ｛Ｍ−１｝｝を形成する。次に、それに対応する組の時間領域信号を送信する。このようにして、ＣＣに対応するＣＭ／ＰＡＰＲを最小にすることができる、すなわち、最低のＣＭ／ＰＡＰＲを生成するＣＣの組み合わせのみを送信に選択する。図３に示すように、この実施形態では、ｊπ／２、ｊπ、およびｊ３π／２の位相回転、すなわちａ｛ｍ｝∈｛ｅｊπ／２，ｅｊπ，ｅｊ３π／２｝、すなわちＰ＝３で、各時間領域信号をそれぞれ適用する。この実施形態では一例として５つのＣＣをとる、すなわちＭ＝５であるが、各ＣＣに３回の位相回転を適用するので、この場合、３５個の組み合わせがある。ＵＬの場合はＳＣ−ＦＤＭＡが採用されるので、ＵＬの状況では上記の処理の前に５ＣＣに対して高速フーリエ変換を実施することが必要であるという点で、ＤＬの状況とは異なるが、残りの処理はＤＬと同じである。
【００２６】
図３に示される処理から、本発明の実施形態による、送信されるべきアグリゲートされるＣＣを処理するための方法は、時間領域信号を変換して、歪みを招かなくても「ピーク」を緩和できることが理解されよう。次のＲＳに位相回転を追加するので、受信機は、チャネルの一部として位相オフセットを容易に検出し、それを等化処理で補償することができ、したがって補助情報は必要ではない。本発明の実施形態による方法では、ＤＬ送信シナリオだけでなく、ＵＬ送信シナリオでもＣＣに位相回転を適用することができる。
【００２７】
図３に示される方法は、時間領域において複数回の位相回転を各ＣＣに適用し、次に最低のＣＭ／ＰＡＰＲを生成する組み合わせのみを選択することである。この方法は、ＲＳの周期性によって引き起こされるＣＭの増加を軽減するだけでなく、ＵＬとＤＬの両方に対して固有のＣＭ／ＰＡＰＲ値を２ｄＢ減少させる。
【００２８】
図３の３回の位相回転は説明の目的で使用されているに過ぎず、本発明の限定として解釈するべきではないことを指摘する必要がある。実際、５ＣＣの場合、２回の位相回転により満足できるパフォーマンスを得るのに十分なことがある。
【００２９】
既存の技術的な解決策では、繰り返しＲＳによって引き起こされる余分なＣＭ／ＰＡＰＲの増加のみを軽減することができる。それを無視して、図４および図５に示されるシミュレーション・グラフを参照して、ＰＡＰＲに関する従来技術に対する本発明の改善点を具体的に説明する。
【００３０】
図４および図５に示されるシミュレーションは、以下の表１に基づいて実行した。
【表１】
2012531127.tif 000004
【００３１】
図４は、ＤＬにおいて４つのアグリゲートされるＣＣおよび５つのアグリゲートされるＣＣのＰＡＰＲに関して本発明と従来技術を比較したシミュレーション・グラフを示す。図４の横軸はしきい値ＰＡＰＲＯ（単位はｄＢ）を表し、縦軸の数字は各シミュレーション・シンボルのＰＡＰＲが一定のしきい値（横軸ＰＡＰＲＯ）を超える確率を表す。このしきい値は、この実施形態では、相補累積分布関数（ＣＣＤＦ）で表されている。図４の左の２本の線はそれぞれ、２回の位相回転による４つのアグリゲートされるＣＣおよび５つのアグリゲートされるＣＣの状況を表し、右の２本の線はそれぞれ、最適化（すなわち位相回転）されない、４つのアグリゲートされるＣＣおよび５つのアグリゲートされるＣＣの状況を表す。図４から、４つのアグリゲートされるＣＣでも５つのアグリゲートされるＣＣでも、２回の位相回転によるＰＡＰＲは最適化されない場合より低いことが明らかに理解されよう。
【００３２】
図５は、２〜５のアグリゲートされるＣＣのＵＬ  ＰＡＰＲに関して本発明と従来技術を比較したシミュレーション・グラフである。図５の横軸および縦軸は、図４の横軸および縦軸と同じものを表す。図５の左の４本の線はそれぞれ、位相回転による２〜５のアグリゲートされるＣＣの状況を表し、右の４本の線はそれぞれ、最適化（すなわち位相回転）されない、２〜５のアグリゲートされるＣＣの状況を表す。図５の右の４本の線から、最適化されない状況では、アグリゲートされるＣＣの数が大きいほど、ＣＭ／ＰＡＰＲが大きいことが明らかに理解されよう。この原因は、ＵＬでは、アグリゲートされるＣＣの数が増加するにつれて、繰り返しＲＳがなくても、ＳＣ−ＦＤＭＡの低ＰＡＰＲ特性が消失する（ＣＣＤＦ＝１０−３のレベルで、２ＣＣから５ＣＣで２ｄＢ増加する）。逆に、図５の左の４本の線から、本発明で提案する位相回転方式は、複数のＣＣのＰＡＰＲを、１ＣＣのＰＡＰＲと同じレベル（７〜８ｄＢ）に維持できることが理解されよう。
【００３３】
表２は、ＣＭ（ＰＡＰＲ）に関する、本発明と従来技術の比較を示す。
【表２】
2012531127.tif 000005
【００３４】
したがって、本発明によって提案される方式は、ＤＬに関するＲＳの非周期性の制限を解除するだけでなく、ＤＬとＵＬの両方に関するＣＣ数の増加によって引き起こされるＣＭ／ＰＡＰＲを減少させることが理解されよう。本発明では、異なるＣＣの異なる物理セルＩＤをブロードキャストすることは不必要である。また、補助情報も必要ではない。このことは、すべての処理が送信機で実施され、受信機には変更は必要ではないことを意味する。したがって、本発明で提案される方式は、ＣＭ／ＰＡＰＲを減少させるための十分に下位互換で効果的な手法である。
【００３５】
また、ＬＴＥ−ＡのＵＥは、位相回転を認識でき、その位相回転をＤＬチャネル推定に利用可能な場合がある。ＬＴＥリリース８は単一のＣＣのみを使用し、位相回転はチャネルの一部のように見えるに過ぎない。したがって、位相回転はＬＴＥリリース８のＵＥにとって透過的である。すなわち、本発明によって提案される方式は、ＬＴＥリリース８にも適用できる。
【００３６】
これまで、好ましい実施形態に関して本発明を説明してきた。当業者は、本発明の趣旨または範囲から逸脱することなく、種々の他の変更、置き換え、および追加を実施できることを理解されたい。したがって、本発明の範囲は、上記の特定の実施形態ではなく添付の特許請求の範囲によって定義されるべきである。
【産業上の利用可能性】
【００３７】
キャリア・アグリゲーションに関連するＣＭ／ＰＡＰＲ増加の問題は、ＬＴＥ−Ａに関する３ＧＰＰ規格の会合で検討されている。具体的には、ＵＬの場合、アグリゲートされるＣＣの数の増加によって引き起こされる高ＣＭ／ＰＡＰＲ問題によってＵＬ送信のパフォーマンスが著しく低下することがある。低いＣＭ／ＰＡＰＲ値は、電力増幅器の効率が高く、カバレッジが広いことを意味する。本発明によって提案される位相回転方法は、受信機の再設計および互換性の問題を発生させることなく、ＣＭ／ＰＡＰＲ値を最小にし、ｅＮＢとＵＥの両方の電力バックオフを制限することができる。
【図１】
2012531127.tif 000006
【図２】
2012531127.tif 000007
【図３】
2012531127.tif 000008
【図４】
2012531127.tif 000009
【図５】
2012531127.tif 000010
【国際調査報告】
2012531127.tif 000011
2012531127.tif 000012
2012531127.tif 000013
2012531127.tif 000014